(57)【要約】【課題】遊技機の形状によらずに取り付けることができる受け皿の取付機構を提供する。【解決手段】本発明に係る受け皿２１１の取付機構は、ベース板２１３と、高さ方向に長手方向を有するスライド支持軸４１１と、スライド支持軸４１１に沿ってスライドする高さ方向調整部４２と、高さ方向調整部４２のスライドを阻止するプッシュレバー４２１とを有する高さ方向調整機構と、奥行方向に沿ってスライドする円板部４１０と、円板部４１０のスライドを阻止する奥行方向調整部４３とを有する奥行方向調整機構とを備えている。【選択図】図１
2014147515.tif 000002
【特許請求の範囲】
【請求項１】
遊技島に配置された遊技機から排出される遊技媒体を受け止める受け皿を、当該受け皿を設置する上記遊技島の設置面に取り付ける取付機構であって、
上記設置面に固定されるベース板と、
上記ベース板に垂直な第１方向に長手方向を有する柱状部材と、上記柱状部材に沿ってスライドする第１移動部材と、上記第１移動部材のスライドを阻止する第１ロック部材とを有する第１調整機構と、
上記ベース板上を上記遊技機の前面に垂直な第２方向に沿ってスライドする第２移動部材と、上記第２移動部材のスライドを阻止する第２ロック部材とを有する第２調整機構と、を備え、
上記受け皿は、上記第１移動部材と連動して上記第１方向にスライドし、上記第２移動部材と連動して上記第２方向にスライドする、
ことを特徴とする取付機構。
【請求項２】
上記第１移動部材は、上記受け皿に固定されており、
上記第２移動部材は、上記柱状部材と一体に形成されている、
ことを特徴とする請求項１に記載の取付機構。
【請求項３】
上記柱状部材には、上記第１方向に垂直な方向の溝が上記第１方向に沿って複数形成され、
上記第１ロック部材は、上記複数の溝の何れかに挿入されて係合する挿入板を有し、
上記挿入板には、上記複数の溝の何れかに挿入されるような付勢力が常時加わっており、上記付勢力に抗した力が加わることで、上記複数の溝の何れかと上記挿入板との係合が解除される、
ことを特徴とする請求項１又は２に記載の取付機構。
【請求項４】
上記第２移動部材および上記第２ロック部材の一方には、上記第２方向に垂直な方向に突出する凸部が形成され、上記第２移動部材および上記第２ロック部材の他方には、上記凸部と係合する凹部が形成され、
上記凸部及び上記凹部の少なくとも一方が複数であることにより、係合させる凸部及びり凹部の組み合わせが複数存在し、
上記第２ロック部材には、上記凸部及び凹部の少なくとも一対が係合するような付勢力が常時加わっており、上記付勢力に抗した力が加わることで、上記凸部及び凹部の係合が解除される、
ことを特徴とする請求項１から３の何れか１項に記載の取付機構。
【請求項５】
上記ベース板には、上記第２方向に長手方向を有する長孔が形成されており、
上記第２移動部材は、上記長孔に沿って上記ベース板上をスライドする、
ことを特徴とする請求項１から４の何れか１項に記載の取付機構。
【請求項６】
遊技島に配置された遊技機から排出される遊技媒体を受け止める受け皿と、
請求項１から５の何れか１項に記載の取付機構と、を備える、
ことを特徴とする受け皿ユニット。
【請求項７】
上記遊技媒体を、上記受け皿から、当該遊技媒体の数を計数する計数機へ供給する供給路をさらに備え、
上記供給路は、その形状が変形可能に構成されている、
ことを特徴とする請求項６に記載の受け皿ユニット。
【発明の詳細な説明】
【技術分野】
【０００１】
本発明は、受け皿を取り付ける取付機構、及び、取付機構を備える受け皿ユニットに関するものである。
【背景技術】
【０００２】
従来、遊技場に設置されたパチンコ機などの複数の遊技機において、各遊技者が獲得したパチンコ玉などの遊技球は、遊技場に設置されている１つの計数カウンタによって計数処理を行っていた。これに対し、近年、遊技機毎に遊技球を計数する各台計数機が広がってきている。
【０００３】
各台計数機は、遊技機の隣に設置される台間機の下部に備えられる。また、各台計数機は、遊技球を計数する計数部と、遊技機の下皿に設けられた排出口から落下する遊技球を受け止める受け皿と、受け皿に溜まった遊技球を計数部に供給するための遊技球通路とを備えている。各台計数機において計数された遊技球は、遊技機が取り付けられた遊技島に送られる。なお、計数された遊技球の数は、電子情報により管理される。
【０００４】
ここで、遊技機には様々な種類があり、遊技機の種類によって遊技機の下皿から遊技島の備えるテーブルまでの距離が異なる。遊技機は、遊技島に対して、遊技島の備えるテーブルよりも高い位置に取り付けることが一般的であるが、その取り付け高さも遊技機の種類によって異なる。
【０００５】
遊技機の遊技島に対する取り付け高さが、遊技機の種類によって異なるため、遊技機の下皿と台間機の受け皿との位置関係が遊技機の種類によって変わってしまう。このため、遊技機の種類によっては、下皿の排出口から排出される遊技球が受け皿に入らずこぼれてしまったり、受け皿を取り付けること自体ができなという事態が起きる。また、遊技機の扉を開ける度に、受け皿を取り外さなければならない。
【０００６】
このため、各台計数機の備える受け皿は、遊技機及び遊技島のテーブルなどの大きさ（寸法）のばらつきを考慮して設計及び製造されるようになってきた。しかし、遊技機の種類に合わせるように複数種類の受け皿を用意しなければならないため、受け皿の製造コストや保管コストなどが増大してしまう。また、遊技機が新しく入れ替わると、新しい遊技機に合わせて受け皿を再度設計し、新たに製造しなければならない。
【０００７】
このような問題に対し、例えば、特許文献１に記載の技術のように、ネジ式のアジャスタを受け皿の底面に取り付けることで、受け皿の遊技機の高さ方向の位置を調整することのできる受け皿ユニットが提案されている。
【０００８】
ここで、図７を参照して、特許文献１に係る受け皿ユニットについて説明する。図７は、特許文献１に係る受け皿ユニットを備える遊技ユニットを示す外観図である。
【０００９】
図７に示すように、遊技ユニットは、遊技機９１、台間機９２、及び各台計数機９０を備えている。遊技機９１は下皿９３を備えている。各台計数機９０は、受け皿９４、遊技球通路９５及びアジャスタ９６からなる受け皿ユニット、並びに、計数部９７を備えている。ここで、計数部９７は台間機９２の下部内に設置されている。また、アジャスタ９６は、不図示の遊技島の備えるテーブルに設置されている。
【００１０】
特許文献１に係る遊技ユニットでは、ネジ式のアジャスタ９６を回転させることにより、受け皿９４の高さ方向の位置を調整する。
【先行技術文献】
【特許文献】
【００１１】
【特許文献１】特開平１１−１９７３４６号公報（１９９９年７月２７日公開）
【発明の概要】
【発明が解決しようとする課題】
【００１２】
近年、遊技機の多様化に伴い、遊技者の視覚を楽しませるために奥行方向に凹凸の多い遊技機が増えてきている。さらに、遊技機における派手な演出を実現するため、電源部及び回路基板の大型化が進み、奥行の大きい遊技機も増加している。この場合、特許文献１のように高さ方向の調整だけでは、遊技機と受け皿ユニットとが干渉する可能性がある。すなわち、遊技機の形状の多様化により、遊技機と受け皿ユニットとが干渉してしまったり、受け皿ユニットを取り付けること自体ができないという問題が生じる。
【００１３】
本発明は、上記の問題に鑑みてなされたものであり、その主たる目的は、奥行方向に凹凸の多い遊技機であっても、遊技機の形状によらずに取り付けることができる受け皿の取付機構を提供することにある。
【課題を解決するための手段】
【００１４】
本発明の一態様に係る取付機構は、上記の課題を解決するために、遊技島に配置された遊技機から排出される遊技媒体を受け止める受け皿を、当該受け皿を設置する上記遊技島の設置面に取り付ける取付機構であって、上記設置面に固定されるベース板と、上記ベース板に垂直な第１方向に長手方向を有する柱状部材と、上記柱状部材に沿ってスライドする第１移動部材と、上記第１移動部材のスライドを阻止する第１ロック部材とを有する第１調整機構と、上記ベース板上を上記遊技機の前面に垂直な第２方向に沿ってスライドする第２移動部材と、上記第２移動部材のスライドを阻止する第２ロック部材とを有する第２調整機構と、を備え、上記受け皿は、上記第１移動部材と連動して上記第１方向にスライドし、上記第２移動部材と連動して上記第２方向にスライドする、ことを特徴としている。
【００１５】
上記の構成によれば、上記取付機構は、上記第２調整機構により、上記遊技機の前面に垂直な上記第２方向における上記受け皿の位置を調整をすることができる。ここで、第２方向とは、遊技機の前面に垂直な方向であるため、遊技機の奥行方向となる。そのため、第２調整機構により、遊技機の奥行方向について所望の位置で上記受け皿を取り付けることができる。
【００１６】
また、上記第１調整機構により、上記ベース板に垂直な上記第１方向における上記受け皿の位置を調整をすることができる。そのため、上記ベース板が固定される遊技島の設置面が水平面である場合、高さ方向が第１方向となり、高さ方向について所望の位置で上記受け皿を取り付けることができる。
【００１７】
このように、第１方向および第２方向の２つの方向について受け皿の位置を調整することができるため、上記遊技機の前面側に凹凸がある場合、又は、上記遊技機の奥行が大きい場合などであっても、その形状によらず、上記受け皿を取り付けることができる取付機構を提供することができる。
【００１８】
また、本発明の一態様に係る取付機構において、上記第１移動部材は、上記受け皿に固定されており、上記第２移動部材は、上記柱状部材と一体に形成されている、ことが好ましい。
【００１９】
上記の構成によれば、上記第２移動部材と、上記柱状部材とが一体に形成されているため、上記第１調整機構及び上記第２調整機構が、１つの調整機構として集約される。これによって、上記取付機構は、上記受け皿の、上記第１方向及び上記第２方向における双方の位置調整を行うための機構を、より簡単な構造で構成することができる。
【００２０】
また、本発明の一態様に係る取付機構において、上記柱状部材には、上記第１方向に垂直な方向の溝が上記第１方向に沿って複数形成され、上記第１ロック部材は、上記複数の溝の何れかに挿入されて係合する挿入板を有し、上記挿入板には、上記複数の溝の何れかに挿入されるような付勢力が常時加わっており、上記付勢力に抗した力が加わることで、上記複数の溝の何れかと上記挿入板との係合が解除される、ことが好ましい。
【００２１】
上記の構成によれば、上記取付機構は、工具を用いずに、上記第１移動部材を上記柱状部材に沿った任意の位置で上記柱状部材に対して固定することができる。これにより、上記受け皿の、上記第１方向に対する位置を調整する調整者の作業工程を削減することができる。
【００２２】
また、本発明の一態様に係る取付機構において、上記第２移動部材および上記第２ロック部材の一方には、上記第２方向に垂直な方向に突出する凸部が形成され、上記第２移動部材および上記第２ロック部材の他方には、上記凸部と係合する凹部が形成され、上記凸部及び上記凹部の少なくとも一方が複数であることにより、係合させる凸部及びり凹部の組み合わせが複数存在し、上記第２ロック部材には、上記凸部及び凹部の少なくとも一対が係合するような付勢力が常時加わっており、上記付勢力に抗した力が加わることで、上記凸部及び凹部の係合が解除される、ことが好ましい。
【００２３】
上記の構成によれば、上記取付機構は、工具を用いずに、上記第２移動部材を上記第２の方向における任意の位置で上記ベース板に対して固定することができる。これにより、上記受け皿の、上記第２方向に対する位置を調整する調整者の作業工程を削減することができる。
【００２４】
また、本発明の一態様に係る取付機構において、上記ベース板には、上記第２方向に長手方向を有する長孔が形成されており、上記第２移動部材は、上記長孔に沿って上記ベース板上をスライドする、ことが好ましい。
【００２５】
上記の構成によれば、上記第２移動部材は、上記長孔の形成された範囲内においてのみ、上記ベース板上をスライドする。これによって、上記取付機構は、上記第２移動部材がスライドする範囲及び方向を正確に規定することができ、上記受け皿の上記第２方向における位置調整をより正確に行うことができる。
【００２６】
また、本発明の一態様に係る受け皿ユニットは、上記の課題を解決するために、遊技島に配置された遊技機から排出される遊技媒体を受け止める受け皿と、上記取付機構と、を備えている。
【００２７】
上記の構成によれば、上記受け皿ユニットは、上述の取付機構と同様の効果を得ることができる。
【００２８】
また、本発明の一態様に係る受け皿ユニットは、上記遊技媒体を、上記受け皿から、当該遊技媒体の数を計数する計数機へ供給する供給路をさらに備え、上記供給路は、その形状が変形可能に構成されている、ことが好ましい。
【００２９】
上記の構成によれば、上記受け皿の位置を調整することで、上記受け皿の位置が移動した場合であっても、当該受け皿の位置の移動に合わせて上記供給路の形状を変化させることができる。したがって、上記受け皿の位置調整に合わせて他の部材（例えば、上記計数機など）の配置位置を調整する必要がない。これにより、上記受け皿ユニットは、上記受け皿の位置を、自由に調整することができる。
【発明の効果】
【００３０】
上記の構成によれば、上記取付機構は、上記遊技機の前面側に凹凸がある場合、又は、上記遊技機の奥行が大きい場合などであっても、その形状によらず、上記受け皿を取り付けることができる。
【図面の簡単な説明】
【００３１】
【図１】本発明の一実施形態に係る受け皿ユニットの構成の概略を示す外観図である。
【図２】本発明の一実施形態に係る遊技ユニットの構成を示す外観図である。
【図３】本発明の一実施形態に係る受け皿ユニットの備える位置調整機構の構成を示す外観図である。
【図４】本発明の一実施形態に係る受け皿ユニットの備える位置調整機構の構成の詳細を示す分解斜視図である。
【図５】本発明の一実施形態に係る調整部及び高さ方向調整部の断面図である。
【図６】本発明の一実施形態に係る高さ方向調整部の備えるプッシュレバーの構成を示す図であって、（ａ）はプッシュレバーの構成を示す外観図であり、（ｂ）は（ａ）のＡ−Ａ断面図である。
【図７】特許文献１に係る受け皿ユニットを備える遊技ユニットを示す外観図である。
【発明を実施するための形態】
【００３２】
本発明の一実施形態に係る受け皿の取付機構、及び、当該取付機構を備える受け皿ユニットについて、図１から図６を参照して以下に説明する。但し、この実施形態に記載されている構成は、特に特定的な記載がない限り、この発明の範囲をそれのみに限定する趣旨ではなく、単なる説明例に過ぎない。
【００３３】
〔遊技ユニットの構成〕
まず、本実施形態に係る受け皿ユニットを備える遊技ユニットの構成について、図２を参照して説明する。図２は、本実施形態に係る遊技ユニット１の構成を示す外観図である。なお、本実施形態に係る遊技ユニット１としては、パチンコ機を挙げることができるが、特に限定されるものではなく、例えば、スロットマシーンなどであってもよい。
【００３４】
図２に示すように、本実施形態に係る遊技ユニット１は、遊技機１０、台間機２０、及び、受け皿ユニット２１を備えている。遊技ユニット１は遊技島３０に設定される。
【００３５】
（遊技島）
遊技島３０は、遊技ユニット１を取り付ける台である。また、遊技島３０は、台間機２０から遊技球の供給を受け付ける。遊技島３０は、受け付けた遊技球を、遊技機１０に供給してもよいし、溜めておいてもよい。
【００３６】
図２に示すように、遊技島３０は、テーブル面（設置面）３１を備えている。テーブル面３１は、受け皿ユニット２１を支える支台の上面である。本実施形態におけるテーブル面３１は水平面である。なお、本実施形態にいう「水平」とは、実質的に水平とみなすことのできる範囲を含むものである。
【００３７】
（遊技機）
遊技機１０は、遊技状態に応じて遊技媒体（例えば、パチンコ玉のような遊技球やメダルなど）（以下の説明では遊技球とする）を排出する。遊技機１０は、図２に示すように、排出した遊技球を溜めるための下皿１１を備えている。
【００３８】
また、下皿１１には、当該下皿１１から遊技球を排出するための排出口（不図示）が形成されている。遊技機１０から排出されて下皿１１に溜められた遊技球は、排出口から排出される。
【００３９】
（受け皿ユニット）
受け皿ユニット２１は、遊技機１０の下皿１１に形成された排出口から排出される遊技球を受け止め、受け止めた遊技球を台間機２０に送る。
【００４０】
（台間機）
台間機２０は、受け皿ユニット２１から受けた遊技球の数を、遊技機１０毎に計数する各台計数部（計数機）（不図示）を備えている。すなわち、台間機２０は、受け皿ユニット２１によって受け止められた遊技球の数を、各台計数部において計数する。台間機２０は、各台計数部において計数した遊技球を、遊技島３０に供給する。
【００４１】
〔受け皿ユニットの構成〕
次に、本実施形態に係る受け皿ユニット２１の構成について、図１を参照して説明する。図１は、本実施形態に係る受け皿ユニット２１の構成の概略を示す外観図である。
【００４２】
図１に示すように、受け皿ユニット２１は、受け皿２１１、遊技球通路（供給路）２１２、ベース板（取付機構）２１３、カバー２１４、及び、位置調整機構（取付機構）４０を備えている。
【００４３】
（受け皿）
受け皿２１１は、遊技機１０の備える下皿１１に形成されている排出口から排出される遊技球を受け止める。受け皿２１１の底面は、図１に示すように、遊技球通路２１２側の深さが遊技球通路２１２と反対側の深さよりも深くなるよう、傾斜している。これによって、受け皿２１１は、下皿１１から排出された遊技球を、効率的に遊技球通路２１２側へ移動させることができる。
【００４４】
（遊技球通路）
遊技球通路２１２は、遊技球が、受け皿２１１から台間機２０の内部へ移動する際に通過する通路である。遊技球通路２１２を通過して台間機２０の内部へ移動した遊技球は、台間機２０の備える各台計数部において計数される。
【００４５】
遊技球通路２１２は、その形状が変形可能に構成されている。遊技球通路２１２は、例えば、図１に示すように、複数の部材を繋ぎ合せた蛇腹状に構成されることによって変形可能に構成されていてもよい。また、遊技球通路２１２は、例えば、ゴムなどの弾性部材によって変形可能に構成されていてもよく、遊技球通路２１２の可変可能な構成は特に限定されるものではない。
【００４６】
このように、遊技球通路２１２を変形可能に構成することにより、後述する位置調整機構４０が、受け皿２１１の位置を調整するために、受け皿２１１の位置を移動させた場合であっても、受け皿２１１の位置の移動に合わせて遊技球通路２１２の形状を変化させることができる。したがって、受け皿２１１の位置調整に合わせて他の部材（例えば、台間機２０など）の配置位置を調整する必要がない。これにより、受け皿ユニット２１は、受け皿２１１の位置を、自由に調整することができる。
【００４７】
（ベース板、カバー）
ベース板２１３は、遊技島３０のテーブル面３１に固定され、受け皿ユニット２１を遊技島３０のテーブル面３１に対して支持する。また、受け皿２１１とベース板２１３との間には、図１に示すように、位置調整機構４０が設けられている。
【００４８】
カバー２１４は、受け皿２１１及び位置調整機構４０を保護する筐体である。また、カバー２１４は、遊技ユニット１のユーザ（遊技者）が位置調整機構４０に触れることを防止する、いたずら防止カバーとしての役割も果たしている。
【００４９】
（位置調整機構）
位置調整機構４０は、ベース板に対する受け皿２１１の位置、すなわち、遊技ユニット１における位置を調整する。
【００５０】
具体的には、位置調整機構４０は、受け皿２１１の、遊技ユニット１の高さ方向（図１に示すＺ軸方向）、すなわち、ベース板２１３（遊技島３０のテーブル面３１）に垂直な方向（第１方向）における位置を調整する。また、位置調整機構４０は、受け皿２１１の、遊技ユニット１の奥行方向（図１に示すＸ軸方向）、すなわち、遊技機１０の前面に垂直な方向（第２方向）における位置を調整する。なお、本実施形態にいう「垂直」とは、実質的に垂直とみなすことのできる範囲を含むものである。
【００５１】
なお、本実施形態では、ベース板２１３及び位置調整機構４０によって受け皿２１１の取付機構が実現されているが、以降では、説明の便宜上、取付機構を単に位置調整機構４０とも記載する。
【００５２】
〔位置調整機構の構成〕
次に、本実施形態に係る受け皿ユニット２１の備える位置調整機構４０の構成について、図３及び図４を参照して説明する。図３は、本実施形態に係る受け皿ユニット２１の備える位置調整機構４０の構成を示す外観図である。図４は、本実施形態に係る受け皿ユニット２１の備える位置調整機構４０の構成の詳細を示す分解斜視図である。
【００５３】
図３及び図４に示すように、位置調整機構４０は、調整部（第１調整機構、第２調整機構）４１、高さ方向調整部（第１調整機構、第１移動部材）４２、及び、奥行方向調整部（第２調整機構、第２ロック部材）４３を備えている。また、ベース板２１３には、長孔２３１、支持部２３２、ガイド板２３３、及び、ガイド溝２３４が形成されている。
【００５４】
図４に示すように、長孔２３１は、長手方向が奥行方向と平行になるように形成されている。なお、本実施形態にいう「平行」とは、実質的に平行とみなすことのできる範囲を含むものである。また、ガイド板２３３及びガイド溝２３４は、長手方向がベース板２１３において奥行方向と垂直な方向（第３方向）になるように形成されている。
【００５５】
（調整部）
調整部４１は、受け皿２１１の、遊技ユニット１における高さ方向の位置及び奥行方向の位置の双方を調整するための部材である。具体的には、調整部４１は、高さ方向調整部４２と共に、受け皿２１１の、遊技ユニット１における高さ方向の位置を調整する高さ方向調整機構（第１方向調整機構）を構成する。また、調整部４１は、奥行方向調整部４３と共に、受け皿２１１の、遊技ユニット１における奥行方向の位置を調整する奥行方向調整機構（第２方向調整機構）を構成する。
【００５６】
調整部４１は、図４に示すように、円板状の円板部（第２移動部材）４１０と、スライド支持軸（柱状部材）４１１と、ボス４１２とを備えている。
【００５７】
円板部４１０の外周の一部には、複数の凹部（係合部）４１３が形成されている。複数の凹部４１３は、一方向に沿って並んで形成される。また、複数の凹部４１３の各々の開口方向は全て同一である。
【００５８】
スライド支持軸４１１は、円板部４１０の一方の平面のほぼ中央において、その長手方向が当該平面に垂直な方向となるように取り付けられ、円板部４１０と一体となっている。なお、本実施形態において、スライド支持軸４１１と円板部４１０とが「一体」であるとは、別部材であるスライド支持軸４１１と円板部４１０とを接着剤やねじ等の接着機構により一体化する場合、及び、スライド支持軸４１１と円板部４１０とを初めから一体のものとして成形する場合を含む。
【００５９】
また、スライド支持軸４１１は、その長手方向に垂直な断面がＷＤ形状である。スライド支持軸４１１は、後述する高さ方向調整部４２の備えるスライド用孔４２２に挿入される。
【００６０】
ボス４１２は、円板部４１０における他方の平面（すなわち、スライド支持軸４１１が取り付けられていない側の平面）のほぼ中央に取り付けられる。ボス４１２は、ベース板２１３に形成されている長孔２３１に挿入可能なサイズである。
【００６１】
調整部４１は、スライド支持軸４１１の長手方向及びボス４１２の軸方向が受け皿ユニット２１の高さ方向（図１のＺ軸方向）と平行になり、かつ、複数の凹部４１３が奥行方向調整部４３側を向くように、ベース板２１３上に配置されている。このとき、複数の凹部４１３は、奥行方向（図１のＸ軸方向）に沿って配列され、各凹部４１３は、ベース板２１３上において奥行方向に垂直な方向（図１のＹ軸正方向）に開口することとなる。
【００６２】
ボス４１２は、ベース板２１３に形成されている長孔２３１に挿入される。これにより、調整部４１は、長孔２３１が形成されている範囲において、ベース板２１３に対して奥行方向にスライド可能である。また、スライド支持軸４１１の長手方向が受け皿ユニット２１における高さ方向と平行になるため、高さ方向調整部４２は、スライド支持軸４１１に沿って、高さ方向にスライド可能となる。
【００６３】
（高さ方向調整部）
高さ方向調整部４２は、調整部４１と共に、受け皿２１１の、遊技ユニット１における高さ方向の位置を調整する高さ方向調整機構を構成する。
【００６４】
図４に示すように、高さ方向調整部４２は、プッシュレバー（第１ロック部材）４２１を備えている。また、高さ方向調整部４２には、スライド用孔４２２が形成されている。
【００６５】
高さ方向調整部４２は、図１に示すように、受け皿２１１の底面の所定の位置に固定される。高さ方向調整部４２は、スライド用孔４２２に挿入されている、調整部４１に形成されたスライド支持軸４１１に沿ってスライドすることにより、受け皿２１１の高さ方向の位置を調整する。
【００６６】
具体的には、高さ方向調整部４２は、プッシュレバー４２１を高さ方向調整部４２に押し込む（操作状態）ことにより、スライド用孔４２２に挿入された調整部４１のスライド支持軸４１１の長手方向に沿ってスライド可能となる。また、高さ方向調整部４２は、プッシュレバー４２１の高さ方向調整部４２への押し込みを停止する（非操作状態）ことにより、スライド支持軸４１１の任意の位置で、スライド支持軸４１１に対して固定可能となる。すなわち、プッシュレバー４２１は、非操作状態となることで、高さ方向調整部４２のスライド支持軸４１１に対するスライドを阻止するロック部材として機能する。
【００６７】
なお、高さ方向調整部４２の、スライド支持軸４１１に沿ったスライドのより詳細な説明については、図面を変えて後述する。
【００６８】
なお、高さ方向調整部４２に形成されているスライド用孔４２２は、図４に示すように、スライド支持軸４１１の軸方向に垂直な断面形状とほぼ同じＷＤ形状である。また、高さ方向調整部４２は、受け皿２１１に固定されている。したがって、受け皿２１１は、調整部４１に対して、スライド支持軸４１１を回転軸として回転しない。
【００６９】
（奥行方向調整部）
奥行方向調整部４３は、調整部４１と共に、受け皿２１１の、遊技ユニット１における奥行方向の位置を調整する奥行方向調整機構を構成する。
【００７０】
図４に示すように、奥行方向調整部４３は、下方に突出する複数の凸部４３１が形成されている。複数の凸部４３１の各々は所定の一方向に沿って延びる突条であり、複数の凸部４３１は当該所定の一方向に垂直な方向に沿って並んで形成される。なお、各凸部４３１は、調整部４１が有する凹部４１３に係合（嵌合）可能なサイズで形成される。また、奥行方向調整部４３は、バネ４３２を備えている。
【００７１】
図３に示すように、奥行方向調整部４３は、ベース板２１３上に、当該ベース板２１３に形成されているガイド板２３３及びガイド溝２３４によって、ガイド溝２３４の長手方向にスライド可能に取り付けられている。より具体的には、奥行方向調整部４３は、一部の凸部４３１の先端に形成されているガイド凸部４３３がガイド溝２３４に挿入され、ガイド溝２３４が形成されている範囲でスライド可能に構成されている。なお、上述したように、ガイド溝２３４は、長手方向がベース板２１３において奥行方向と垂直な方向（第３方向）になるように形成されている。そのため、奥行方向調整部４３は、当該第３方向にスライド可能となる。このとき、凸部４３１は、奥行方向と垂直な方向（図１のＺ軸負方向）に突出するとともに、ベース板２１３に平行であり、奥行方向と垂直な方向（図１のＹ軸方向）に伸びる突条となる。
【００７２】
また、奥行方向調整部４３は、当該奥行方向調整部４３とベース板２１３に形成されている支持部２３２との間に設けられたバネ４３２により、支持部２３２から見て調整部４１方向（図１に示すＹ軸負方向）に付勢されている。奥行方向調整部４３は、バネ４３２による付勢によって、ガイド溝２３４の調整部４１側端部に固定される。奥行方向調整部４３を調整部４１から見て支持部２３２方向（図３の矢印Ｂの示す方向）に移動させた場合であっても、バネ４３２によって奥行方向調整部４３を矢印Ｂと反対方向に付勢することができる。これにより、バネ４３２は、奥行方向調整部４３をガイド溝２３４の調整部４１側端部に再度固定することができる。
【００７３】
奥行方向調整部４３がガイド溝２３４の調整部４１側端部で固定されたとき、複数の凸部４３１の少なくとも一部が調整部４１の凹部４１３に係合される。凸部４３１と凹部４１３とが係合されることにより、調整部４１の奥行方向のスライドが阻止される。そのため、奥行方向調整部４３は、調整部４１の奥行方向のスライドを阻止するロック部材として機能する。一方、奥行方向調整部４３を図３の矢印Ｂの示す方向に移動させたとき、複数の凸部４３１と調整部４１の凹部４１３との係合が解除される。
【００７４】
〔受け皿の位置調整〕
次に、受け皿２１１の、遊技ユニット１における位置調整について説明する。
【００７５】
（奥行方向の位置調整）
まず、受け皿２１１の、遊技ユニット１における奥行方向の位置調整について説明する。
【００７６】
調整部４１のベース板２１３に対する奥行方向の位置調整は、上述したように、奥行方向調整部４３を図３の矢印Ｂの方向に移動させ、調整部４１をベース板２１３に形成されている長孔２３１の範囲でスライド可能にした状態で実行する。
【００７７】
具体的には、調整部４１に形成されている何れの凹部４１３と、奥行方向調整部４３に形成されている何れの凸部４３１とを係合（嵌合）させるかを調整することにより、調整部４１のベース板２１３に対する奥行方向の位置を調整する。
【００７８】
例えば、調整部４１の遊技機１０側に形成されている凹部４１３と、奥行方向調整部４３の遊技機１０と反対側に形成されている凸部４３１とを嵌合させる。この場合には、調整部４１は、奥行方向調整部４３により、ベース板２１３に形成されている長孔２３１の範囲内において遊技機１０と反対側に、ベース板２１３に対して固定されることになる。
【００７９】
また、調整部４１の遊技機１０と反対側に形成されている凹部４１３と、奥行方向調整部４３の遊技機１０側に形成されている凸部４３１とを嵌合させる。この場合には、調整部４１は、奥行方向調整部４３により、ベース板２１３に形成されている長孔２３１の範囲内において遊技機１０側に、ベース板２１３に対して固定されることになる。
【００８０】
このように、嵌合させる凹部４１３と凸部４３１との組み合わせを調整することにより、調整部４１の、ベース板２１３に対する固定位置を、奥行方向に調整することができる。これにより、調整部４１の、遊技ユニット１における奥行方向の位置を調整することができる。
【００８１】
したがって、受け皿ユニット２１は、工具を用いずに、調整部４１を、奥行方向における任意の位置でベース板２３１に対して固定することができる。これにより、受け皿２１１の、奥行方向に対する位置を調整する調整者の作業工程を削減することができる。
【００８２】
調整部４１の奥行方向の位置を調整することによって、スライド支持軸４１１が挿入されている高さ方向調整部４２を介して調整部４１に固定されている受け皿２１１の奥行方向の位置を調整することになる。したがって、受け皿２１１は、高さ方向調整部４２と連動して、高さ方向にスライドする。また、受け皿２１１は、調整部４１と連動して、奥行方向にスライドする。
【００８３】
このように、調整部４１を奥行方向に移動させ、奥行方向調整部４３によってその位置を固定することによって、受け付け皿２１１の、遊技ユニット１における奥行方向の位置調整を行うことができる。したがって、受け皿２１１の、遊技ユニット１における奥行方向の位置を、調整用の工具などを用いずに、容易に調整することができる。また、受け皿２１１の、遊技ユニット１における奥行方向の位置調整に工具を必要としないため、受け皿２１１の位置調整を短時間で行うことができる。
【００８４】
さらに、本実施形態に係る受け皿ユニット２１は、受け皿２１１の遊技ユニット１における奥行方向の位置を容易に調整することができるため、遊技機１０に凹凸がある場合であっても、受け皿ユニット２１を無理なく設置することができる。
【００８５】
また、調整部４１は、ベース板２１３形成された長孔２３１の範囲内においてのみ、上記ベース板上をスライドする。したがって、位置調整機構４０は、調整部４１がスライドする範囲及び方向を正確に規定することができる。これにより、受け皿２１１の奥行方向における位置調整をより正確に行うことができる。
【００８６】
なお、本実施形態では、円板部４１０に凹部４１３が形成され、奥行方向調整部４３に凸部４３１が形成されている構成を例に挙げて説明したが、これに限定されるものではない。例えば、円板部４１０に凸部が形成され、奥行方向調整部４３に凹部が形成されていてもよい。すなわち、円板部４１０および奥行方向調整部４３の一方に奥行方向に垂直な凸部が形成され、円板部４１０および奥行方向調整部４３の他方に凸部と係合する凹部が形成されていればよい。
【００８７】
さらに、本実施形態では、凹部４１３及び凸部４３１が何れも複数形成されている構成を例に挙げて説明したが、これに限定されるものではない。例えば、凹部４１３及び凸部４３１の少なくとも一方が複数であれば、係合する凸部及び凹部の組み合わせは複数となる。
【００８８】
（高さ方向の位置調整）
次に、受け皿２１１の、高さ方向の位置調整について、図５及び図６を参照して説明する。
【００８９】
図５は、本実施形態に係る調整部４１及び高さ方向調整部４２の断面図である。また、図６は、本実施形態に係る高さ方向調整部４２の備えるプッシュレバー４２１の構成を示す図である。図６（ａ）は、プッシュレバー４２１の構成を示す外観図であり、（ｂ）は、（ａ）のＡ−Ａ断面図である。
【００９０】
高さ方向調整部４２は、図５に示すように、プッシュレバー４２１、及び、バネ４２３を備えている。また、高さ方向調整部４２には、上述のように、スライド用孔４２２が形成されている。また、図５に示すように、調整部４１のスライド支持軸４１１には、ベース板２１３に平行な（つまり、スライド支持軸４１１の長手方向（つまり、遊技ユニット１の高さ方向：図１のＺ軸方向）に垂直な）固定用溝（溝）４１４が複数形成されている。複数の固定用溝４１４は、スライド支持軸４１１の長手方向（つまり、遊技ユニット１の高さ方向）に沿って並んで形成されている。
【００９１】
プッシュレバー（第１ロック部材）４２１は、図６（ａ）及び（ｂ）に示すように、固定板（第１ロック部材、挿入板）４２１ａ、及び、バネ支持部４２１ｂを有している。固定板４２１ａは、調整部４１の固定用溝４１４に挿入されることによって、高さ方向調整部４２を調整部４１のスライド支持軸４１１に対して固定するための部材である。また、バネ支持部４２１ｂは、バネ４２３を支持するための部材である。
【００９２】
本実施形態では、固定板４２１ａが、プッシュレバー４２１と一体に形成されていている構成を例に挙げて説明するが、特に限定されるものではなく、固定板４２１ａは、プッシュレバー４２１とは別の部材として設けられていてもよい。
【００９３】
図５に示すように、プッシュレバー４２１のバネ支持部４２１ｂは、バネ４２３によって、プッシュレバー４２１が高さ方向調整部４２から押し出される方向に付勢されている。つまり、プッシュレバー４２１は、非操作状態において固定板４２１ａが固定用溝４１４の何れかに挿入されるよう、バネ４２３によって常時付勢されている。
【００９４】
プッシュレバー４２１をバネ４２３の付勢力に抗して操作状態にする（プッシュレバー４２１を図５の示す矢印Ｃの方向へ押し込む）と、固定板４２１ａは、固定用溝４１４から外れる。これにより、高さ方向調整部４２は、スライド支持軸４１１に沿ってスライド可能となる。
【００９５】
一方、プッシュレバー４２１を非操作状態にすると、バネ支持部４２１ｂがバネ４２３によって付勢され、これに伴い固定板４２１ａが再び固定用溝４１４に挿入され、嵌合する。これにより、高さ方向調整部４２は、スライド支持軸４１１の任意の位置において固定される。
【００９６】
このように、高さ方向調整部４２の、遊技ユニット１における高さ方向の位置を調整することにより、高さ方向調整部４２に固定されている受け皿２１１の、遊技ユニット１における高さ方向の位置調整することができる。
【００９７】
なお、プッシュレバーの構成は、本実施形態に係るプッシュレバー４２１に限定されるものではない。つまり、プッシュレバーが、非操作状態におけるプッシュレバーの位置を基準位置として、基準位置から変位した操作状態へ遷移すると、基準位置に付勢する付勢力によって再度非操作状態へ戻る構成を備える構成であれば、プッシュレバー４２１と同様の効果を得ることができる。
【００９８】
また、プッシュレバー４２１によって、高さ方向調整部４２の位置を、調整部４１のスライド支持軸４１１に沿った任意の位置に調整することができる。したがって、受け皿２１１の、遊技ユニット１における高さ方向の位置を、調整用の工具などを用いずに、容易に調整することができる。また、受け皿２１１の、遊技ユニット１における高さ方向の位置調整に工具を必要としないため、受け皿２１１の位置調整を短時間で行うことができる。
【００９９】
また、プッシュレバー４２１を上述のように構成することにより、工具を用いずに、高さ方向調整部４２をスライド支持軸４１１に沿った任意の位置で固定することができる。これにより、受け皿２１１の、高さ方向に対する位置を調整する調整者の作業工程を削減することができる。
【０１００】
さらに、本実施形態に係る受け皿ユニット２１は、受け皿２１１の遊技ユニット１における高さ方向の位置を容易に調整することができるため、遊技機１０及びテーブル面３１などの寸法及び形状などによらず、受け皿ユニット２１を無理なく設置することができる。
【０１０１】
また、本実施形態に係る受け皿ユニット２１は、上述のように、スライド支持軸４１１を調整部４１の一部として（すなわち、スライド支持軸４１１と調整部４１と一体として）形成している。これにより、受け皿ユニット２１は、受け皿２１１の、高さ方向及び奥行方向の位置調整を行うための調整機構を、位置調整機構４０に集約している。これによって、受け皿２１１の、高さ方向及び奥行方向の位置調整を行うための調整機構を、より簡単な構造で構成することができる。
【０１０２】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１０３】
本発明は、パチンコ台、及び、スロットマシーンなどの備える受け皿ユニットなどに好適に適用することができる。
【符号の説明】
【０１０４】
１          遊技ユニット
１０        遊技機
１１        下皿
２０        台間機
２１        受け皿ユニット
３０        遊技島
３１        テーブル面（設置面）
４０        位置調整機構（取付機構）
４１        調整部（第１調整機構、第２調整機構）
４２        高さ方向調整部（第１調整機構、第１移動部材）
４３        奥行方向調整部（第２調整機構、第２ロック部材）
２１１      受け皿
２１２      遊技球通路（供給路）
２１３      ベース板（取付機構）
４１０      円板部（第２移動部材）
４１１      スライド支持軸（柱状部材）
４１２      ボス
４１３      凹部（係合部）
４１４      固定用溝（溝）
４２１      プッシュレバー（第１ロック部材）
４２１ａ    固定板（挿入板）
４２２      スライド用孔
４３１      凸部
【図１】
2014147515.tif 000003
【図２】
2014147515.tif 000004
【図３】
2014147515.tif 000005
【図４】
2014147515.tif 000006
【図５】
2014147515.tif 000007
【図６】
2014147515.tif 000008
【図７】
2014147515.tif 000009